(57)【要約】      （修正有）【課題】乳幼児を腕に抱いた状態で寝かしつける時に正しく安全に乳幼児の首や体幹を支持でき、また睡眠中の乳幼児をベッドや布団に下す場合にも睡眠中の乳幼児を再び起こすことなく寝かしつけることのできる乳幼児用おくるみシートを提供する。【解決手段】使用者が生後０ヵ月から６ケ月程度の首の据わっていない乳幼児を抱きかかえて授乳したり寝かしつけたり、授乳哺育の手助けとなり、かつ寝かしつけた乳幼児の睡眠を維持したまま仰臥位又は側臥位などにして寝かせておくための寝具として使用される乳幼児用おくるみシート１００であって、乳幼児用おくるみシート１００は厚み方向の長さが３ｃｍ以下であり、乳幼児の体幹を支持するための芯材１と、芯材１の外部を覆う高通気性かつ低反発性素材のクッション材２とからなる。【選択図】図２
0003206959.tif 000002
【実用新案登録請求の範囲】
【請求項１】
高通気性かつ低反発性素材のクッション材からなり、
使用者が乳幼児の首や体幹を手又は指で支持する圧力によって前記クッション材の表面に使用者の手又は指の形状に合わせた凹凸が形成される厚みと、手や指を離すと元の平坦状に戻る反発弾性率とを有するとともに、筒状に巻き回したり折り曲げ可能であるが、離すと平坦状に戻る反発弾性率を有し、
生後０ヵ月から６ケ月程度の首の据わっていない乳幼児を抱きかかえて授乳したり寝かしつけたり、寝かしつけた乳幼児の睡眠を維持したまま仰臥位又は側臥位にして寝かせておくための寝具としても使用される
ことを特徴とする乳幼児用おくるみシート。
【請求項２】
前記クッション材の反発弾性率３％以下であり、かつ、前記クッション材は、乳幼児がうつ伏せになったときにもその呼吸を妨げない通気度を持ち、通気度は８０（ｃｃ／ｃｍ２／ｓｅｃ）以上１００（ｃｃ／ｃｍ２／ｓｅｃ）以下であることを特徴とする請求項１記載の乳幼児用おくるみシート。
【請求項３】
前記クッション材は厚みが１ｃｍ以上３ｃｍ以下であり、かつ、前記クッション材は、長手方向の長さが５０ｃｍ以上７０ｃｍ以下であり、かつ幅方向の長さが３０ｃｍ以上５０ｃｍ以下であり、その長手方向側面中央部には使用者の体のラインに沿う曲線形状のくびれが形成されることを特徴とする請求項１記載の乳幼児用おくるみシート。
【請求項４】
前記クッション材に乳幼児の体幹を支持するための芯材が配置され、前記芯材はクッションの硬度よりも固く、クッションの厚みに対して少なくとも片方の面に突出するように配されていることを特徴とする請求項１ないし３のいずれか１項記載の乳幼児用おくるみシート。
【請求項５】
前記クッション材の内部中央に乳幼児の体幹を支持するための芯材を備え、前記芯材は低反発性素材であり、ピーナッツ形状、小判形状、又は、だるま形状をなし、所定の口径の通気孔が形成されていることを特徴とする請求項１ないし３のいずれか１項記載の乳幼児用おくるみシート。
【請求項６】
前記芯材は、２枚のクッション材の厚みを同じくする平板状のクッション材の間に配置されていることを特徴とする請求項４又は５記載の乳幼児用おくるみシート。
【請求項７】
請求項１ないし６の乳幼児用おくるみシートのカバーであって、前記シートの撓みを抑制するための内カバーを備え、前記内カバーは前記シートの形状に沿って密接した形状で収納することを特徴とする請求項１ないし６のいずれか１項記載の乳幼児用おくるみシート。
【考案の詳細な説明】
【技術分野】
【０００１】
本考案は、乳幼児を抱いた状態で寝かせた後、睡眠中の乳幼児を横にして寝かせる際に、乳幼児が覚醒しないよう睡眠させたまま寝かせる、乳幼児用おくるみシートに関する。
【背景技術】
【０００２】
従来、乳幼児を腕に抱いて寝かせた場合には、乳幼児は眠った状態でベッド、布団、そして床に敷かれたマットやシートなどへ下して寝かしつけていた。しかし睡眠中の乳幼児を下す場合、睡眠中の乳幼児を再び起こすことが頻繁に生じていた。これは（１）乳幼児が母親の体温とベッドや布団などの温度との違いを敏感に感じたり、（２）手や腕を外す動作によって乳幼児の身体が揺れたり、（３）ベッドや布団に下すことによって乳幼児の頭部、臀部、体幹を支持する圧力のかかり方が変わったり、（４）重力のかかる方向が変化したり、（５）その他、乳幼児の身体への負荷のかかり方に何らかの変化が生じることによって睡眠中の乳幼児が目を覚ますと考えられる。
そのため乳幼児をベッドや布団に寝かしつける場合には、母親は乳幼児を腕に抱いて寝かしつけた状態で腰を下ろし、乳幼児と密着した姿勢のままベッドや布団に乳幼児を下していた。ベッドや布団に下す場合には、乳幼児の足や腰などを先にベッドや布団につけた後、乳幼児の頭部を静かに下していく場合や、少しずつ前傾姿勢となって乳幼児の足や腰と頭部をほぼ同時にベッドや布団に下す場合などがあるが、いずれの方法でも非常に神経を使い、腰や腕に負担がかかるものである。また一度目を覚ました場合、乳幼児を抱いて睡眠させた後に横にして寝かしつけることを再度やり直す必要があり、やり直したからといって必ずしも乳幼児が寝るとは限らないため、乳幼児を寝かしつけることは母親に精神的にも身体的に想像以上の負担を生じさせていた。
またこの作業は、まず乳幼児を腕に抱いて寝かしつける必要があるが、生後０ヵ月から６ケ月程度の首の据わっていない乳幼児を正しい姿勢で抱きながら、乳幼児を抱いたまま寝かしつけるにはある程度の慣れが必要であるため、抱き慣れないていない者にとっても寝かしつける作業は難しいものであった。
【０００３】
特許文献１には、低反発弾性フォームを耐水性に優れた高分子物質で作られた防水シートの薄膜で密閉させた構造の乳幼児低反発クッションマットが開示されており、入浴用マットとして使用されることが示されている。低反発弾性フォームの厚みは３ｃｍ〜３０ｃｍ、望ましくは５ｃｍ〜１５ｃｍとされ、枕部を有した形状であって、幼児を座らせるためのリクライニング機能がマット中央部に内蔵された構造が開示されている。
特許文献２には、平状の基台表面に設けられた低反発素材の頭部受部、筒状枕、そして胴体受部と、筒状枕の片面に設けられた取っ手とからなる乳幼児寝具が開示されている。乳幼児を横にして寝具に寝かせる際に、乳幼児に気づかれないように睡眠させたまま、乳幼児を支える腕を外して寝かせるために乳幼児用寝具が使用されることが示されている。
特許文献３には、二以上のクッションパーツから構成され、クッション上面に臀部や腰部を納めるための窪みを有した乳幼児用クッションが公開されており、体格の違う乳幼児に合わせて又は乳幼児の成長に合わせて、クッションの長さや窪みのサイズ調整が可能な構造の乳幼児クッションが開示されている。
【特許文献１】特開２０１２−８１１５０号公報
【特許文献２】特開２００７−２２９４１２号公報
【特許文献３】特開２０１３−１５３９４７号公報
【考案の開示】
【考案が解決しようとする課題】
【０００４】
ところで特許文献１〜３では、乳幼児を腕に抱いて寝かせる時に使用される、いわゆるおくるみとしての用途は想定されていない。そのため乳幼児を寝具やクッション上に下す時に、母親の体温とベッドや布団などの温度との違いを敏感に感て目を覚ます場合がある。また、乳幼児を抱いておくるみとして使用することが想定されていないため、乳幼児を腕に抱いた状態で、乳幼児の首や体幹を正しく支持するための芯材（コア材）がクッション材の中に入れられていない。慣れていない者が抱く場合には、乳幼児の姿勢が不安定となりやすく、生後０ヵ月から６ケ月程度の首の据わっていない乳幼児を正しくホールディングできない可能性もあり危険を伴う。また乳幼児が安心する抱き方をすることができず、寝かしつける時に時間がかかることとなる。そのため乳幼児を腕に抱いて寝かしつける作業は、抱くことに慣れた者（多くの場合母親）がすることとなる。
【０００５】
そこで本考案の目的は、乳幼児を腕に抱いた状態で寝かしつける時、抱くことに不慣れな者であっても正しく安全に乳幼児の首や体幹を支持でき、睡眠中の乳幼児をベッドや布団に下す場合にも、睡眠中の乳幼児を再び起こすことなく寝かしつけることのできる乳幼児用おくるみシートを提供することにある。
【課題を解決するための手段】
【０００６】
本考案の乳幼児用おくるみシートは、高通気性かつ低反発性素材のクッション材からなるものであり、使用者が乳幼児の首や体幹を手又は指で支持する圧力によって前記クッション材の表面に使用者の手又は指の形状に合わせた凹凸が形成される厚みと、手や指を離すと元の平坦状に戻る反発弾性率とを有するとともに、筒状に巻き回したり折り曲げ可能であるが、離すと平坦状に戻る反発弾性率を有し、生後０ヵ月から６ケ月程度の首の据わっていない乳幼児を抱きかかえて授乳したり寝かしつけたり、寝かしつけた乳幼児の睡眠を維持したまま仰臥位又は側臥位にして寝かせておくための寝具としても使用されることを特徴とする。
前記クッション材は厚みが１ｃｍ以上３ｃｍ以下で、反発弾性率３％以下であることが好ましいこれの厚みと前記反発弾性率は、前記新生児又は乳幼児を、前記仰臥位又は側臥位にした時に前記新生児又は乳幼児の体圧が分散されて体圧による沈み込みが床まで到達しないことが好ましい。また、片方の面から手や指で接触すると、その暖かさが新生児に伝達するような通気度であることが好ましい。
本考案によれば、乳幼児用おくるみシートは新生児又は乳幼児を抱きかかえて授乳したり寝かしつけたりするおくるみとして使用され、かつ睡眠を維持したまま横にして寝かせておく寝具としても使用され、授乳した後にすぐに覚醒せず、寝かせておくことが可能であるため、授乳哺育の手助けとなり、使用者（乳幼児の母親や、助産師、保健師、保育士・看護師等）の心身をサポートする。そして、本考案によれば、高通気性かつ低反発性素材のクッション材である、おくるみとして使用した時に乳幼児等の姿勢にそって抱き抱えることが容易に実現し、乳幼児の姿勢を安定させることができる。また生後６ケ月程度の首の据わっていない新生児にも無理な負荷をかけずに安全な抱き姿勢を保持することができる。
また本考案によれば、乳幼児用おくるみシートは高通気性かつ低反発性素材のクッション材からなり、かつクッション材は厚みが１ｃｍ以上３ｃｍ以下で、かつ反発弾性率３％以下であるため、乳幼児用おくるみシートは丸めて畳むことができ、かつ掌の温かみが表面に伝わり、かつ新生児又は乳幼児の身体の形状に沿って乳幼児用おくるみシートで包むことが可能となる。そのため直接抱いた時の肌の触れ合いに近く、使用者と新生児又は乳幼児との愛情形成を促進する効果がある。また使用者（乳幼児の母親や、助産師、保健師、保育士・看護師等）の手首への負担も軽減されるため、腱鞘炎予防効果がある。
また本考案によれば、乳幼児用おくるみシートの厚みと反発弾性率は、新生児又は乳幼児を、仰臥位、又は側臥位にした時に新生児又は乳幼児の体圧が分散されて体圧による沈み込みが床まで到達しない厚みと反発弾性率であるため、新生児又は乳幼児の背部への圧迫負担が軽減され、体交（寝返り）を妨げず、安楽な姿勢での睡眠を実現できる。
また本考案によれば、乳幼児用おくるみシートの厚みと反発弾性率は、使用者が乳幼児の首や体幹を手又は指で支持する圧力によってクッション材の表面に使用者の手又は指の形状に合わせた凹凸が形成される厚みと反発弾性率であるため、乳幼児は使用者の愛情を感じやすく、かつ生後６ケ月程度の首の据わっていない新生児にも無理な負荷がかからない。また手や指の力が乳幼児に適切に伝わり、使用者も新生児又は乳幼児の身体の位置や形を、クッション材を介して感じ取ることができ、直接抱く感覚に近いため、乳幼児がクッション材から滑り落ちにくくなる。
また本考案によれば、クッション材は、乳幼児の呼吸を妨げず、かつ体温を平熱に維持し、かつ発汗を抑制する通気度であるため、快適な寝心地となる。またうつぶせ寝による事故の発生を軽減でき、ＳＩＤＳ（乳幼児突然死症候群）の予防対策の一つにつながる。
【０００７】
本考案としては、前記クッション材に乳幼児の体幹を支持するための芯材が配置され、前記芯材はクッションの硬度よりも固く、クッションの厚みに対して少なくとも片方の面に突出するように配されていることを特徴とする。また、本考案としては、クッション材の内部中央に乳幼児の体幹を支持するための芯材を備え、芯材は低反発性素材であり、ピーナッツ形状、小判形状、又は、だるま形状をなし、所定の口径の通気孔が形成されていることを特徴とする。所定の口径が８ｍｍ以上かつ１５ｍｍ以下の通気孔であり、クッション材の中心軸と芯材の中心軸が一致することが好ましい。
【０００８】
本考案によれば、体幹を支持するための芯材と芯材の外部を覆う高通気性かつ低反発性素材のクッション材があるため、おくるみとして使用した時に乳幼児等の姿勢にそって抱き抱えることが容易に実現し、乳幼児の姿勢を安定させることができる。また生後０ヵ月から６ケ月程度の首の据わっていない新生児にも無理な負荷をかけずに安全な抱き姿勢を保持することができる。
また本考案によれば、乳幼児を横にして寝具として使用した時にも乳幼児の体幹を芯材で適切に支持するため体幹の歪み予防の効果がある。また乳幼児の頭部や頸部や四肢はクッション材によってより柔らかく支えられるため、頭部や頸部に無理な圧力が生じることがない。そのため呼吸が妨げられにくく乳幼児の頭蓋骨変形予防の効果もある。このように芯材と低反発のクッション材とによって乳幼児の発達成長に則した正常に近い骨形成を促す効果がある。
本考案によれば、芯材がピーナツ形状、小判形状、又は、だるま形状をなすため、芯材に角が無く、クッション材越しに芯材の角が乳幼児の身体にあたるといったことが無い。また芯材がクッション材に挟まれているため芯材が乳幼児に直接接触することもなく、より安全でより快適な寝心地を実現できる。また芯材の長手方向側面中央部が緩やかな円弧を描くことで、使用者が芯材を手に沿わせたり、掴んだりしやすくなり、乳幼児を抱き抱えやすくやすくなる。また使用の際には乳幼児おくるみシートを背面から支えるが、芯材の長手方向側面中央部が円弧を描いているため、中央位置も容易に分かり使い勝手が良くなる。
【０００９】
前記クッション材の反発弾性率３％以下であり、前記クッション材は、乳幼児がうつ伏せになったときにもその呼吸を妨げない通気度を持ち、通気度は８０（ｃｃ／ｃｍ２／ｓｅｃ）以上１００（ｃｃ／ｃｍ２／ｓｅｃ）以下であることが好ましい。また本考案によれば口径が８ｍｍ以上かつ１５ｍｍ以下の通気孔を備えているため、通気性が向上し、乳幼児の発汗を抑制する作用がある。また寝返りをする等して、うつ伏せになった場合にも呼吸が妨げられないため乳幼児の窒息防止効果がある。
また本考案によればクッション材と芯材が低反発素材のため小さく丸めたり折りたたんだりすることができ、バッグやベビーカー等に収納することができる。
【００１０】
本考案としては、前記クッション材は厚みが１ｃｍ以上３ｃｍ以下で、前記クッション材の長手方向の長さが５０ｃｍ以上７０ｃｍ以下であり、かつ幅方向の長さが３０ｃｍ以上５０ｃｍ以下であることを特徴とする。前記クッション材の長手方向側面中央部には使用者の体のラインに沿う曲線形状のくびれが形成されることを特徴とする。
考案によれば、クッション材はピーナッツ形状、小判形状、だるま形状又は長方形をなし、クッション材の長手方向側面中央部に使用者の体のラインに沿った曲線形状のくびれが形成されるためで、使用者と乳幼児に無理な圧力がかからず抱きやすくなり快適性が向上する。また乳幼児用おくるみシートを折りたたむ際にも折りたたみやすくなる。
また本考案によれば、クッション材は、長手方向の長さが５０ｃｍ以上７０ｃｍ以下であり、かつ幅方向の長さが３０ｃｍ以上５０ｃｍ以下であるため、乳幼児の体格よりも少し大きい形状で抱きやすくなっている。またコット（医療施設で使用されるプラスチック製の新生児用キャリーベッド）やクベース（保育器）などに収まるサイズであるため医療機関でも使用可能である。
【００１１】
本考案としては、乳幼児用おくるみシートのカバーであって、前記シートの撓みを抑制するための内カバーを備え、前記内カバーは前記シートの形状に沿って密接した形状で収納することを特徴とする。
本考案によれば、クッション材と同形状の内カバーをクッション材に密着させて覆うことで、布による乳幼児の呼吸を妨げる事無く、またクッション材が汚れにくくなるだけでなく、内カバーを曲げても内部のクッション材が撓んだり捩れたりすることがなくなる。
【００１２】
本考案の乳幼児用おくるみシートは、芯材は厚みを同じ厚みとする２枚の平板のクッション材の間に挟まれることを特徴とする。
本考案によれば、芯材を簡単に挟んで作成できるとともに、２枚のクッション材の厚みを同じ厚みとすることで乳幼児用おくるみシートの表面と裏面のどちらの面を使用しても同じ使用感となり、使用しやすくなる。
【考案の効果】
【００１３】
本考案によれば、乳幼児を腕に抱いた状態で寝かしつける時に、抱くことに不慣れな者であっても生後０ヵ月から６ケ月程度の首の据わっていない乳幼児の首や体幹を正しく支持することができ、乳幼児の姿勢が安定するためより安全になる。また乳幼児が安心する抱き方をすることができるため、腕に抱いて寝かしつける時に時間の短縮が図られる。さらに、乳幼児を横にして布団やベッドに下す際にも、（１）乳幼児を抱く者の体温と布団などとの温度変化、（２）手や腕を外す動作による変化、（３）布団などに下す動作による乳幼児の頭部や臀部や体幹を支持する圧力の変化、（４）重力のかかる方向の変化、（５）その他、乳幼児の身体への負荷のかかり方の変化をなるべく穏やかなものとすることができる。したがって睡眠中の乳幼児が目を覚まさないようにして横にして寝かしつけることが可能となる。母親が乳幼児を寝かしつける負担が軽減され、父親でも乳幼児を安全に早く寝かしつけることが可能となり協力しやすくなる。このように本考案により乳幼児を寝かしつけることによる精神的、身体的な負担が大幅に軽減される。
【図面の簡単な説明】
【００１４】
【図１】本考案の第１の実施の形態である乳幼児用おくるみシートの使用状態を説明する図である。
【図２】上記第１の実施の形態の乳幼児用おくるみシートを示す斜視図である。
【図３】上記第１の実施の形態の乳幼児用おくるみシートを示す平面図である。
【図４】上記第１の実施の形態の乳幼児用おくるみシートを示す正面図である。
【図５】上記第１の実施の形態の乳幼児用おくるみシートを示す側面図である。
【図６】上記第１の実施の形態の乳幼児用おくるみシートを示すＡ−Ａ’断面図である。
【図７】上記第１の実施の形態の乳幼児用おくるみシートの他の使用例を示す図である。
【図８】上記第１の実施の形態の乳幼児用おくるみシートの接着箇所を示す断面図である。
【図９】上記第１の実施の形態の乳幼児用おくるみシートの接着箇所を示すＡ−Ａ’断面図である。
【図１０】上記第１の実施の形態の乳幼児用おくるみシートの別の使用状態を示す図である。
【図１１】上記第１の実施の形態の乳幼児用おくるみシートの別の使用状態を示す図である。
【図１２】上記第１の実施の形態の乳幼児用おくるみシートの別の使用状態を示す図である。
【図１３】本考案の第２の実施の形態である乳幼児用おくるみシートの使用状態を説明する図である。
【図１４】上記第２の実施の形態である乳幼児用おくるみシートを示す平面図である。
【図１５】上記第２の実施の形態である乳幼児用おくるみシートを示すＡ−Ａ’断面図である。
【図１６】上記第２の実施の形態の他の乳幼児用おくるみシートの例を示す斜視図である。
【図１７】上記第２の実施の形態の他の乳幼児用おくるみシートの例を示す斜視図である。
【考案を実施するための形態】
【００１５】
以下、本考案を実施するための最良の形態を図面にもとづいて説明する。
【００１６】
（第１の実施の形態）
図１は、本考案の第１の実施の形態である乳幼児用おくるみシート１００の使用状態を説明する図である。図２は本考案の第１の実施の形態の乳幼児用おくるみシート１００の斜視図であり、図３は平面図であり、図４は正面図であり、図５は側面図であり、図６は図２のＡ−Ａ’断面図である。図７は別の使用状態を示す図である。図２〜図４は透視図となっており、破線で示された物は内部に位置していること示している。第１の実施の形態は、使用者が生後０ヵ月から６ケ月程度の首の据わっていない乳幼児を抱きかかえて授乳したり寝かしつけたり、かつ寝かしつけた乳幼児の睡眠を維持したまま仰臥位、伏臥位、又は側臥位などにして寝かせておくための寝具として使用される乳幼児用おくるみシート１００である（図１））、乳幼児の体幹を支持するための芯材１と、芯材１の外部を覆う高通気性かつ低反発性素材のクッション材２とを備える（図２−６）。乳幼児用おくるみシート１００は、クッション材２の撓みを抑制するための内カバー３を備え、内カバー３はクッション材２の形状に沿って密接した形状をしている（図１−６）。乳幼児用おくるみシート１００は厚みＨ（厚み方向の長さ）が１ｃｍ以上３ｃｍ以下である（図４−６）。
【００１７】
芯材１は低反発性素材であり、ピーナッツ形状、小判形状、又は、だるま形状をなし、口径が８ｍｍ以上かつ１５ｍｍ以下の通気孔４を備える（図３）。芯材１は乳幼児用おくるみシート１００の中央内部に位置し（図３，４，６）、クッション材２の中心軸Ｄと芯材１の中心軸Ｅが一致する（図３）。芯材１の大きさは、新生児又は乳幼児の体幹（頭部と四肢を除く部分。骨盤、背骨、肋骨（胸郭）、肩甲骨、その周囲を取り巻く表層、深層の筋肉等）を確実に支持する大きさであって、体幹の機能維持を可能とし、新生児又は乳幼児の成長発達を妨げない大きさとする（図７）。具体的な大きさは新生児又は乳幼児の身長や体重にもよるが、芯材１の長手方向の長さは１０ｃｍ〜４０ｃｍ、より好ましくは２０ｃｍ以上３０ｃｍ以下であって、幅方向（短手方向）の長さは２ｃｍ〜２０ｃｍ、より好ましくは５ｃｍ以上１０ｃｍ以下である。通気孔４は複数あっても良く、好ましくは５個以上１０個以下である。通気孔４の大きさは直径５ｍｍ以上、好ましくは直径１０ｍｍ以上である。なお、芯材１の長手方向の長さを２５ｃｍとし、幅方向（短手方向）の長さを１０ｃｍとし、通気孔４の直径は１２ｍｍとして、通気孔４の個数を８個開けた芯材１が最も望ましい。通気孔４によって乳幼児の呼吸が妨げられず、かつ体温を平熱に維持し、かつ発汗を抑制する通気度が保たれる（図３）。
ここで、芯材１に使用される低反発性素材は、軟質ポリ塩化ビニル発泡体と同等の柔らかさを持つ素材であって、衝撃吸収性に優れた制振効果があるもので、軽量で通気性に優れたものが使用される。また低温時に硬化しない耐候性に優れたもので、かつ洗濯等の繰り返しにも耐えられる耐久性に優れたものが好ましい。芯材１の形状は、ピーナツ形状、小判形状、又は、だるま形状の他、芯材１の四方に角が無い形状とする。また芯材１の長手方向側面中央部が緩やかな円弧５（くびれ形状）を描いており、使用者が芯材１を手に沿わせたり、掴んだりしやすい形状とする。芯材１の硬度は、クッション材２の硬度よりもやや硬いことが好ましい。
【００１８】
図８は第１の実施の形態の乳幼児用おくるみシート１００の接着箇所を示す断面図である。図８は図４のＢ−Ｂ’断面図であるが、図４では接着箇所の図示が省略されている。図９（ａ）は図８のＡ−Ａ’断面図である。図９（ｂ）は図９（ａ）と同じＡ−Ａ’断面図であって、内カバー３を備えていない場合を示した図である。
【００１９】
芯材１は厚みを同じ厚みとする２枚のクッション材２ａ，２ｂの間に挟まれる（図５）。クッション材２は芯材１の内部からの圧力で盛り上がり、芯材１の形状が表面上に少し浮き出る。クッション材２ａ，２ｂは両面テープ等の接着手段９によって接着され、芯材１も接着手段９によってクッション材２ａ，２ｂの内部に接着される（図８）。クッション材２の素材機能を妨げず、乳幼児用おくるみシート１００の通気性や吸湿性を確保し、乳幼児が快適な寝心地を損なわないようにするため、接着手段９は芯材１やクッション材２の全面には使用されず、部分的に使用され、なるべく乳幼児が接触する頻度の低い周辺領域（外縁部）に部分的に使用される。接着手段９によって芯材１やクッション材２が固着されているため乳幼児用おくるみシート１００を外部から変形させた場合でも内部の芯材１やクッション材２の撓みや捩れを低減させる効果がある。なお、クッション材２ａ，２ｂは芯材１が内部中央に挟まるように芯材１の形に合わせて凹型に成型されても良く、またクッション材２ａと２ｂを異なる厚みとして乳幼児用おくるみシート１００の表と裏で使用感（新生児又は乳幼児の体幹に加わる芯材１とクッション材２のの圧迫度）を変えても良い。
【００２０】
クッション材２は高通気性かつ低反発性素材が使用される。ここで、クッション材２に使用される高通気性素材とは新生児または乳幼児の呼吸を妨げず、かつ体温を平熱に維持し、かつ発汗を抑制する通気度を持つ素材であり、通気度は８０（ｃｃ／ｃｍ２／ｓｅｃ）以上１００（ｃｃ／ｃｍ２／ｓｅｃ）以下が好ましい。
クッション材２に使用される低反発性素材とは、一般のウレタン素材と比べて反発弾性が非常に小さいもので、衝撃吸収性に優れた軟質のウレタン素材であって、高機能な素材が好ましい。例えば安眠枕等に使用される素材であっても良い。クッション材２は、ピーナッツ形状、小判形状、又は、だるま形状または略長方形をなし、クッション材２の長手方向側面中央部には使用者の体のラインに沿う曲線形状のくびれ６が形成され（図２，図３）る。またクッション材２は使用者が乳幼児の首や体幹を手又は指で支持する圧力によってクッション材２に使用者の手又は指の形状に合わせた凹凸が形成される反発弾性率である（図１１）。
クッション材２の形状は、ピーナッツ形状または小判形状またはだるま形状または略長方形の他、クッション材２の角が丸みを帯び、使用者や乳幼児にクッション材２の角が接触しない形状であって、使用者（乳幼児の母親や、助産師、保健師、保育士・看護師等）の腰や腕や胸等の体のラインに沿うように長手方向側面中央部に曲線形状のくびれ６が形成されている。
クッション材２の厚みＨａは、１ｃｍ以上３ｃｍ以下とし（図４，６）、クッション材２の反発弾性率は３％以下とする。なお乳幼児用おくるみシート１００において、内カバー３の厚みは５ｍｍ以下であって、乳幼児用おくるみシート１００も厚みＨ（厚み方向の長さ）が１ｃｍ以上３ｃｍ以下とする（図４−６）。このようにすることで丸めて畳むことができる厚みとし、掌の温かみが表面に伝わる厚みであることが好ましい。また新生児又は乳幼児の身体の形状に沿って包むことができる厚みであることが好ましい（図２）。
クッション材２の厚みと反発弾性率は、新生児又は乳幼児を、仰臥位、伏臥位、又は側臥位にした時に新生児又は乳幼児の体圧が分散されて体圧による沈み込みが床まで到達しないものとし、使用者が乳幼児の首や体幹を手又は指で支持する圧力によってクッション材２の表面に使用者の手又は指の形状に合わせた凹凸が形成される厚みと反発弾性率であることが好ましい。
クッション材２の大きさは新生児又は乳幼児の身長や体重にもより、身体が収まる大きさであれば特に限定はされないが（図１，図７）、好ましくは長手方向の長さが５０ｃｍ以上７０ｃｍ以下であり、かつ幅方向の長さが３０ｃｍ以上５０ｃｍ以下である。また、より好ましくは長手方向の長さが５５ｃｍ以上６５ｃｍ以下であり、かつ幅方向の長さが３５ｃｍ以上４５ｃｍ以下である。
【００２１】
内カバー３は布製の袋状物であって、クッション材２の撓みを抑制するためクッション材２と同一形状をなし、クッション材２に沿って密接（密着）した形状をしている（図１−６）。内カバー３はクッション材２と一体に縫い閉じられている。内カバー３には側面部一端を開閉自在とするファスナ等の開閉手段７を備えた開口部８が形成され、内カバー３の内部のクッション材２は取り出し可能に構成される（図５）。開口部８、乳幼児用おくるみシート１００の長手方向側面に形成させても良いが（図５）、短手方向側面や背面に形成させても良い。また開口部８は開閉手段７を備えない構成としても良い。なお内カバー３の外側に外カバーを備えていても良い。その場合、外カバーも内カバー３と同じく密接（密着）した形状をしており、側面部一端を開閉自在とし、内カバー３とクッション材２は取り外し可能に構成される。
【００２２】
乳幼児用おくるみシート１００を外部から変形させた場合、接着手段６によって芯材１やクッション材２が接着されているため撓みや捩れは低減される。しかし接着手段６は芯材１やクッション材２の全面に使用されているわけではなく部分的に使用されるのみで、芯材１やクッション材２の一部を固着させているだけであり（図８、図９）、内カバー３を備えなければ、接着手段６が使用されていない空間Ｓ（固着していない面）近傍のクッション材２（２ａ、２ｂ）に対して外方向へ向けて張力Ｔを与えると外部に広がる（図９（ｂ））。すなわち接着手段６だけでは芯材１やクッション材２の撓みや捩れは完全に抑制されるわけではなく、内カバー３が外部からクッション材２を内方向へ均一に圧迫することで芯材１やクッション材２の固着していない部分も外部に広がることなく、撓みや捻じれがさらに抑制される（図９（ａ））。
【００２３】
（本実施の形態の使用方法）
次に、本実施の形態の乳幼児用おくるみシート１００を使用する方法を説明する。図１０、図１１、図１２は上記第１の実施の形態の乳幼児用おくるみシートの別の使用状態を示す図である。
【００２４】
本実施の形態の乳幼児用おくるみシート１００は生後０ヵ月から６ヵ月程度までの新生児又は乳幼児を使用者が立位又は座位姿勢等になって抱きかかえて授乳したり寝かしつけたりする時に使用され（図１、図１０）、かつ寝かしつけた新生児又は乳幼児を、床、ベッド、布団などへ睡眠を維持したまま横にして寝かせておくために使用される（図７）。乳幼児用おくるみシート１００は授乳（哺乳）を行って寝かしつける時にも使用可能である（図１２）。例えば座位で授乳する場合には、使用者は授乳がしやすいようマットやクッション等の高さ調節手段Ａを脚の上に載せ、高さ調節手段Ｂの上にさらに乳幼児用おくるみシート１００を載せることで授乳時の乳幼児の頭部の高さを調節する。なお乳幼児用おくるみシート１００のみの使用で授乳（哺乳）は可能である。
【００２５】
新生児や低月齢の乳児は首が据わっておらず、また身体が柔らかいため頭頸部をしっかりと支える必要がある。そのため基本的には横抱きをし、縦抱きは曖気させる時に行われる。乳幼児用おくるみシート１００を使用して横抱きを行う場合にも、一般的なおくるみを使用した横抱と同様の方法をとる。例えば、乳幼児用おくるみシート１００の上に乳幼児を載せて、乳幼児用おくるみシート１００を介在させて、寝ている乳幼児の全身を使用者の腕部又は大腿部で支えるようし、乳幼児と身体を密着させるようにし、乳幼児の頭部や頸部は肘の内側で支えるようにする（図１）。乳幼児の腰部から臀部を支える際には、乳幼児の股の間から手を差し入れた姿勢をとっても良い。
【００２６】
男性（夫や協力者）や児童、兄姉、祖父母などの抱き慣れていない者が乳幼児を抱く場合、正しい抱き姿勢（ホールディングやポジショニング）を知らない場合もあり、乳幼児の頸部に過度に負担がかかるような抱き方をしてしまう可能性もある。万が一そのような抱き方をとった場合にも、乳幼児用おくるみシート１００を使用していれば、乳幼児は低反発素材で覆われており乳幼児を支える力は適度に分散されるため、安全性が向上する（図１０、図１１）。また芯材１があることにより、使用者は自然に芯材１の上部に新生児を載せるようになるため、正しいポジショニングやホールディングができるようになる（図２、図１１）。
【００２７】
（第２の本実施の形態）
図１３は本考案の第２の実施の形態である乳幼児用おくるみシート１００の使用状態を説明する図である。図１４は本実施の形態の乳幼児用おくるみシート１００を示す平面図であり、かつ内部構造を破線で示した透視図である。図１４（ａ）は乳幼児用おくるみシート１００の全体図であり、図１４（ｂ）は図１４（ａ）の要部拡大図である。図１５は、図１４のＡ−Ａ’断面図である。図１６、図１７は本実施形態の他の乳幼児用おくるみシート１００の例を示す斜視図である。
【００２８】
第２の実施形態の乳幼児用おくるみシート１００は、実施例１に示したおくるみや寝具としての用途だけではなく、医療機関で使用される医療用新生児用ベッドＢ（コット）のマットレスとしても使用できる点が異なり、乳幼児用おくるみシート１００のクッション材２の形状は医療用新生児用ベッドに沿った大きさと形状であって（図１３）、接着部材がなく、内カバー３を清潔に保つための外カバー１０によって内カバー３を覆った形状とする（図１４，図１５）。その他の構成は第１の実施形態と同様であるため、重複する説明を省略する。
【００２９】
本実施形態の乳幼児用おくるみシート１００は産婦人科や助産院等の医療機関や助産師学校等の教育施設の医療用新生児用ベッドＢに使用される（図１３）。医療用新生児用ベッドＢでは一般的にプラスチック製素材の透明なかごＣの底部に通気孔が設けられ、かごＣの内部にはマットレスが配置される。本実施形態の乳幼児用おくるみシート１００はこのマットレスの代わりの専用マットレスとしてかごＣの内部に配置される（図１３）。
クッション材２と内カバー３と外カバー１０の長手方向側部中央に位置したくびれ６や、クッション材２と内カバー３と外カバー１０の四隅の円弧形状１１は、医療施設で使用されるプラスチック製の新生児用キャリーベッドＢ（コット）や、未熟児用の保育器（クベース）の大きさや形状に沿って収まる大きさと形状とする（図１３、図１４）。具体的には乳幼児おくるみシート１００の長手方向の長さは５５ｃｍ以上６５ｃｍ以下であり、かつ幅方向の長さが３５ｃｍ以上４５ｃｍ以下であり、くびれ６と四隅の円弧形状１１はＲ（アール）形状である。四隅の円弧形状１１のＲ形状は半径ｒ１＝１０（ｃｍ）の円Ｒ１の円周の形状と同じであることが好ましく（図１４（ｂ））、言い換えれば曲率半径１０（ｃｍ）であることが好ましい。またくびれ６は長さｄが１６ｃｍ、かつ幅ｗが２．５ｃｍの長方形内に収まる曲線であることが望ましい（図１４（ｂ））。そのほか使用者が乳幼児用おくるみシート１００をかごＣから取り出しやすい形状としても良い。クッション材２は実施例１と同様に内カバー３に覆われるが、内カバー３は外カバー１０によって覆われる（図１４，図１５）。
【００３０】
芯材１、クッション材２、内カバー３、外カバー１０は全て、通気性と通水性に優れたものが使用され、洗濯可能であって、清潔性が保たれるものが使用される。なお、抗菌加工や難燃加工が施されたものであっても良い。外カバー１０は模様が施され、使用施設に合わせたデザイン性を持たせたものが好ましい。
【００３１】
クッション材２は実施例１とは異なり上下２枚に分かれておらず、１枚のクッション材２から構成され、接着手段６は使用されない。クッション材２の側面一端には芯材１をクッション材２の内部中央に挿入するための挿入口１２と隙間１３が設けられる（図１４、図１５）。クッション材２が２枚に分かれておらず、接着手段６を使用する必要がないため、吸収性、通気性、通水性（吸湿性）等が向上し、外部からの張力によって芯材１やクッション材２が撓んだり捩れたりする可能性も非常に少なくなる。
【００３２】
以上、多様な例をとり説明してきたが、本発明の乳幼児用おくるみシート１００は、芯材１の円弧５やクッション材２のくびれ６を無くした小判状の形態や（図１６）、くびれ６は無いものの、乳幼児用おくるみシート１００の中央部から端に向かって斜面１４（傾斜部）が形成されて、体に沿いやすくした小判状の形態としても良い（図１７）。また、クッション材２の外縁部（周辺部）１５を、中央部１６よりもさらに柔軟性の高い素材として、図２のように新生児又は乳幼児を乳幼児おくるみシート１００で覆いやすくすることも可能である。このように本発明の乳幼児おくるみシート１００は、その趣旨を逸脱しない範囲で適宜変更可能なことは言うまでもない。
【符号の説明】
【００３３】
１００  乳幼児用おくるみシート
１      芯材
２（２ａ、２ｂ）      クッション材
３      内カバー
４      通気孔
５      芯材のくびれ（芯材の長手方向側部中央の円弧形状部）
６      クッション材又は内カバー又は外カバーのくびれ（長手方向側部中央の円弧形状部）
７      開閉手段
８      開口部
９      接着手段
１０    外カバー
１１    クッション材又は内カバー又は外カバーの四隅の円弧形状部
１２    芯材挿入口
１３    芯材配置用隙間
１４    斜面（傾斜部）
１５    クッション材の外縁部（周辺部）
１６    クッション材の中心部（中央部）
Ｈ      乳幼児用おくるみシートの厚み
Ｈａ    クッション材の厚み
Ｔ      張力
Ｓ      接着していない面
Ａ      高さ調節手段（授乳用クッション）
Ｂ      医療用新生児用ベッド（コット）
Ｃ      かご
Ｄ      クッション材の中心軸
Ｅ      芯材の中心軸
Ｒ１    四隅の円弧形状部に沿う円
ｒ１    四隅の円弧形状部に沿う円の半径
ｗ      長方形状の幅
ｄ      長方形状の長さ
【図１】
0003206959.tif 000003
【図２】
0003206959.tif 000004
【図３】
0003206959.tif 000005
【図４】
0003206959.tif 000006
【図５】
0003206959.tif 000007
【図６】
0003206959.tif 000008
【図７】
0003206959.tif 000009
【図８】
0003206959.tif 000010
【図９】
0003206959.tif 000011
【図１０】
0003206959.tif 000012
【図１１】
0003206959.tif 000013
【図１２】
0003206959.tif 000014
【図１３】
0003206959.tif 000015
【図１４】
0003206959.tif 000016
【図１５】
0003206959.tif 000017
【図１６】
0003206959.tif 000018
【図１７】
0003206959.tif 000019